(57)【要約】  【課題】  鞄等に取り付けて屋外等に持ち運ぶ薬剤拡散装置であり、取り付け側を傷めることが少なく、また取り付けた時の見栄えが良い薬剤拡散装置の開発を課題とする。  【解決手段】  薬剤拡散装置１は、半球形の電池収納部２と、同じく半球形の機器収納部３を備え、両者がジョイント部５で接合されていて全体形状が球状を成すものである。電池収納部２と、機器収納部３の間にクリップ６が設けられている。電池収納部２と機器収納部３の対向面の隙間６１に鞄７０の開口の縁７１を挿入し、縁７１をクリップ６と係合させて取り付ける。【選択図】  図１
2006314269.tif 000002
【特許請求の範囲】
【請求項１】
送風手段と、電池と、薬剤保持部材を備え、送風手段は電池から電力供給を受けて駆動し、薬剤保持部材に通気して薬剤を拡散させる薬剤拡散装置において、電池を収納する電池収納部と、送風手段及び薬剤保持部材を収納する機器収納部が分離されており、両者の間で他部材を挟んだ状態で自身を固定可能であることを特徴とする薬剤拡散装置。
【請求項２】
電池収納部と、機器収納部の間に他部材と係合する係合部材が設けられていることを特徴とする請求項１に記載の薬剤拡散装置。
【請求項３】
電池収納部と、機器収納部の間で他部材を直接圧して自身を固定可能であることを特徴とする請求項１又は２に記載の薬剤拡散装置。
【請求項４】
送風手段と、電池と、薬剤保持部材を備え、送風手段は電池から電力供給を受けて駆動し、薬剤保持部材に通気して薬剤を拡散させる薬剤拡散装置において、電池を収納する電池収納部と、送風手段及び薬剤保持部材を収納する機器収納部が分離されており、両者の間に他部材と係合する係合部材があり、他部材に対して係合可能であることを特徴とする薬剤拡散装置。
【発明の詳細な説明】
【技術分野】
【０００１】
本発明は薬剤拡散装置に関するものである。本発明の薬剤拡散装置は防虫剤等を拡散させる用途に適するものであり、持ち運びに便利な薬剤拡散装置である。
【背景技術】
【０００２】
防虫剤を拡散させる薬剤拡散装置が知られている。薬剤拡散装置には、主として屋内で使用することを目的とした固定型と、屋外で使用することを目的とした持ち運び型がある。持ち運び型の薬剤拡散装置としては特許文献１，２，３の様なものが知られている。
【特許文献１】特開２００１−１９７８５６号公報
【特許文献２】登録実用新案第３０７１７６０号公報
【特許文献３】特開２００２−２９１３９２号公報
【０００３】
特許文献１，２に開示された薬剤拡散装置は、電池と送風機と薬剤保持部材を内蔵するものであり、送風機によって薬剤保持部材に通気し、薬剤を拡散させるものである。
特許文献１，２に開示された薬剤拡散装置は、いずれも電池と送風機と薬剤保持部材が一つのケースに内蔵されており、当該ケースの背面にクリップが設けられた構造である。特許文献１，２に開示された薬剤拡散装置を使用する際には、クリップを利用して鞄等に薬剤拡散装置を固定する。そして屋外で所定のスイッチを操作することによって送風機を起動し、薬剤を拡散させて使用者の近傍に蚊等が近づくことを防ぐ。
【０００４】
これに対して特許文献３に開示された薬剤拡散装置では、送風機と電池ボックスと薬剤容器がそれぞれ別の収納部に収納されている。そして特許文献３に開示された薬剤拡散装置では、これらが嵌合構造によって一体化されて一塊のブロックを構成している。特許文献３に開示された薬剤拡散装置では、クリップは、一塊のブロックの背面に設けられている。
【発明の開示】
【発明が解決しようとする課題】
【０００５】
従来技術の薬剤拡散装置は、いずれもクリップによって自身を他の部材に固定することができ、持ち運びに便利である。
しかしながら、従来技術の薬剤拡散装置は、鞄等に取り付けた時に鞄の縁が捲れるという欠点があった。即ち従来技術の薬剤拡散装置１００は、図１１の様に単一のケース１０１や、一塊のブロックに全ての機器が収納されており、その背面にクリップ１０２が設けられている。そのため鞄１０５の開口端に薬剤拡散装置１００を取り付けると、機器の重みでモーメントが生じ、図１１の矢印の様に薬剤拡散装置１００が前傾し、鞄１０５の縁が捲れる。そのため従来技術の薬剤拡散装置１００は、取付け側を傷めるという欠点と、見栄えが悪いという欠点があった。
【０００６】
そこで本発明は、従来技術の上記した欠点に注目し、取り付け側を傷めることが少なく、また取り付けた時の見栄えが良い薬剤拡散装置の開発を課題とするものである。
【課題を解決するための手段】
【０００７】
そして上記した課題を解決するための請求項１に記載の発明は、送風手段と、電池と、薬剤保持部材を備え、送風手段は電池から電力供給を受けて駆動し、薬剤保持部材に通気して薬剤を拡散させる薬剤拡散装置において、電池を収納する電池収納部と、送風手段及び薬剤保持部材を収納する機器収納部が分離されており、両者の間で他部材を挟んだ状態で自身を固定可能であることを特徴とする薬剤拡散装置である。
【０００８】
本発明の薬剤拡散装置は、電池を収納する電池収納部と、送風手段及び薬剤保持部材を収納する機器収納部が分離されており、両者の間で他部材を挟んだ状態で自身を固定するものである。本発明の薬剤拡散装置では、電池を収納する電池収納部と、送風手段及び薬剤保持部材を収納する機器収納部の中間部分が他の部材に支持されるので、重量バランスが良い。そのため取り付けた際に発生するモーメントが小さく、取付け部が捲れにくい。即ち本発明の薬剤拡散装置は、送風手段等の荷重と、電池の荷重が振り分けられるので、両者の荷重によってモーメントが相殺され、取付け部が捲れにくい。
【０００９】
また請求項２に記載の発明は、電池収納部と、機器収納部の間に他部材と係合する係合部材が設けられていることを特徴とする請求項１に記載の薬剤拡散装置である。
【００１０】
係合部材とは、例えばクリップや、ピン等である。本発明の薬剤拡散装置では、電池収納部と、機器収納部の間に係合部材が設けられているので、薬剤拡散部材の他部材への取付けがより強固に行われる。
【００１１】
また請求項３に記載の発明は、電池収納部と、機器収納部の間で他部材を直接圧して自身を固定可能であることを特徴とする請求項１又は２に記載の薬剤拡散装置である。
【００１２】
本発明の薬剤拡散装置では、電池収納部と、機器収納部の間で他部材を直接圧するので、薬剤拡散部材の他部材への取付けがより強固に行われる。
【００１３】
請求項４に記載の発明は、送風手段と、電池と、薬剤保持部材を備え、送風手段は電池から電力供給を受けて駆動し、薬剤保持部材に通気して薬剤を拡散させる薬剤拡散装置において、電池を収納する電池収納部と、送風手段及び薬剤保持部材を収納する機器収納部が分離されており、両者の間に他部材と係合する係合部材があり、他部材に対して係合可能であることを特徴とする薬剤拡散装置である。
【００１４】
本発明の薬剤拡散装置についても、電池を収納する電池収納部と、送風手段及び薬剤保持部材を収納する機器収納部が分離されている。そして本発明では、電池収納部と、機器収納部の間に係合部材があり、当該係合部材によって他部材に固定される。
そのため本発明の薬剤拡散装置についても、取り付けた際に発生するモーメントが小さく、取付け部が捲れにくい。
【発明の効果】
【００１５】
本発明の薬剤拡散装置は、取り付けた際に発生するモーメントが小さく、取付け部が捲れにくい。そのため本発明の薬剤拡散装置は、取り付け側を傷めることが少なく、且つ取り付けた時の見栄えが良い。
【発明を実施するための最良の形態】
【００１６】
以下さらに本発明の実施形態について説明する。
図１は、本発明の実施形態の薬剤拡散装置の正面図、左右側面図、平面図、底面図及び背面図である。図２は、図１の薬剤拡散装置の斜視図であり、電池収納部側の蓋部材を開いた状態を示す。図３は、図１の薬剤拡散装置の斜視図であり、機器収納部側の蓋部材を開いた状態を示す。図４は、機器収納部側の蓋部材に設けられた操作スイッチの押圧片の近傍を示す正面図である。
【００１７】
本発明の実施形態の薬剤拡散装置１は、半球形の電池収納部２と、同じく半球形の機器収納部３を備え、両者がジョイント部５で接合されていて全体形状が球状を成すものである。また電池収納部２と、機器収納部３の間にクリップ６が設けられている。以下順次説明する。
【００１８】
前記した様に、本実施形態の薬剤拡散装置１は、全体形状が球形であるが、大きく、電池収納部２と、機器収納部３に分かれている。
電池収納部２の外郭は、図２に示すように、電池収納側ベース板８と電池収納側蓋部材１０によって構成されている。電池収納側ベース板８の形状は円板状である。これに対して電池収納側蓋部材１０は、球殻を半割りにした形状である。電池収納側蓋部材１０の外表面側には特にこれといった開口は無い。
電池収納側蓋部材１０は電池収納側ベース板８に被さり、両者の間に電池収納空間が形成されている。
【００１９】
即ちに電池収納側ベース板８の形状は円板状であり、半球殻状の電池収納側蓋部材１０は、ヒンジ部１１を介して電池収納側ベース板８に取り付けられており、ヒンジ部１１を介して揺動可能である。また電池収納側ベース板８のヒンジ部１１に対して他端側には係合爪１２が設けられており、電池収納側蓋部材１０の図示しない係合部が係合爪１２と係合する。従って電池収納側蓋部材１０が閉じられた状態の時は、両者が合体して半球状をなす。また係合爪１２の係合を解くと、図２に示すように電池収納側蓋部材１０を開くことができる。
また電池収納側ベース板８には、電池ボックス１５が取り付けられており、電池ボックス１５には、乾電池や蓄電池等の電池１７が装着されている。
【００２０】
次に機器収納部３について説明する。機器収納部３についても、外郭構造は、前記した電池収納部２と同様であり、図３に示すように、機器収納側ベース板２０と機器収納側蓋部材２１によって構成されている。機器収納側ベース板２０の形状は円板状であり、機器収納側蓋部材２１は、球殻を半割りにした形状である。
【００２１】
機器収納側蓋部材２１の外表面側には、図１の様に、複数のスリット２２と、排気口２３が設けられている。スリット２２は、図１の様に機器収納側蓋部材２１の頂点から放射状に設けられたものであり、機器収納部３内に空気を導入する吸気口として機能する。
排気口２３は、機器収納側蓋部材２１の開口端近傍にあり、開口端の周に沿って延びている。薬剤拡散装置１を地球に見立て、前記したスリット２２が緯度の線に相当すると考えた時に、排気口２３は、経度の線に相当する方向に延びている。本実施形態では、排気口２３は、対向する位置に２か所設けられている。
【００２２】
また前記した複数のスリット２２（緯度の線に相当するスリット）の一つに操作スイッチの押圧片２６（図１，４）が配されている。押圧片２６は、透明な樹脂板によって作られており、外周形状が円弧状であり、図示しないピンによって機器収納側蓋部材２１に取り付けられている。また機器収納側蓋部材２１の内面には図４に示すようなオルタネートスイッチ２７が設けられている。オルタネートスイッチ２７は頂部を下に向かって押圧することによってオンオフが切り替わるスイッチである。従ってオフ状態の時にオルタネートスイッチ２７の頂部を押すとスイッチがオン状態となる。またオン状態の時に頂部を押すとオフになる。
オルタネートスイッチ２７の頂部は、図４の様に押圧片２６の近傍に位置している。従って押圧片２６が揺動して降下すると、オルタネートスイッチ２７が押圧される。
【００２３】
また押圧片２６の近傍には発光ダイオード２８が設置されている。そのため発光ダイオード２８が発光すると、光が樹脂板たる押圧片２６に入光される。入光された光は、樹脂内を伝播して他方の端面に至り、正面側の端面２９が光る。即ち入光された光は、樹脂の板の内面で反射するので、板面側に洩れる光量は少なく、光の多くは正面側の端面２９に伝播され、端面２９が幻想的に光る。
【００２４】
機器収納側ベース板２０の形状は前記した様に円板状であり、半球殻状の機器収納側蓋部材２１は、ヒンジ部２４を介して機器収納側ベース板２０に取り付けられており、ヒンジ部２４を介して揺動可能である。また機器収納側ベース板２０のヒンジ部２４に対して他端側には係合爪２５が設けられており、機器収納側蓋部材２１の図示しない係合部が係合爪２５と係合する。従って機器収納側蓋部材２１が閉じられた状態の時は、両者が合体して半球状をなす。また係合爪２５の係合を解くと、図３に示すように機器収納側蓋部材２１を開くことができる。
【００２５】
また機器収納側ベース板２０の中央には送風機３０が固定され、さらに送風機３０の上に薬剤保持部材４１が取り付けられている。
図５は、送風機３０と薬剤保持部材４１との斜視図である。図６は、薬剤保持部材４１の分解斜視図である。
送風機３０は、ハウジング３１に羽根部材３２とモータ３３が配置されて構成されている。
本実施形態で採用する送風機３０は、図３，５を基準として天面側から吸気し、側面側に排気するものである。本実施形態では、ハウジング３１は二列平行に設けられた仕切り壁３５，３５と仕切り壁３５，３５によって支持された保持部材支持台３６によって構成されている。保持部材支持台３６は円環状であり中央に大きな開口３７がある。
従ってハウジング３１は上面に吸気口たる開口３７を持ち、仕切り壁３５，３５によった囲まれた領域の開口部分が排気口３９として機能する。なおハウジング３１の排気口３９の開口方向は、機器収納側蓋部材２１の排気口２３と一致する。
【００２６】
羽根部材３２は、シロッコファンやターボファンの様な回転軸を中心とする円周上に多数の小羽根３８が配されたものである。モータ３３は、羽根部材３２の小羽根３８に囲まれた位置に配置されている。
【００２７】
また送風機３０の保持部材支持台３６に薬剤保持部材４１が装着されている。
薬剤保持部材４１は、薬剤含浸網４６とこれを保持する枠体５０によって構成されている。
本実施形態では、枠体５０は外側枠４７と内側枠４８によって構成され、両者の間で薬剤含浸網４６を挟み込む構造となっている。即ち外側枠４７は、円環状の外周壁５１を持ち、外周壁５１の一方の端面に保持桟５３が形成されたものである。保持桟５３は、中心部に円部５５を持ち、当該円部５５から複数の保持桟５３が放射状に延びている。
内側枠４８は、前記した外側枠４７と相似形であり、外側枠４７よりも僅かに小さく、外側枠４７の外周壁５１内に内側枠４８の外周壁５６が嵌まり込む。即ち内側枠４８は、外側枠４７と同様に円環状の外周壁５６を持ち、外周壁５６の一方の端面に保持桟５７が形成されたものであり、内側枠４８の外周壁５６の外径は外側枠４７の外周壁５１の内径に相当し、外側枠４７の外周壁５１内に内側枠４８の外周壁５６が嵌まり込む。そして外側枠４７の保持桟５３と内側枠４８の保持桟５７の間で薬剤含浸網４６を挟む。
【００２８】
薬剤含浸網４６には防虫薬剤が含浸されている。ここで防虫薬剤とは殺虫剤と忌避剤との両方を含む概念である。本発明において防虫薬剤とは、常温で揮散性を有する有効成分を含有するものであり、該有効成分としてはピレスロイド系化合物、並びにその他の殺虫性化合物及び忌避性化合物を挙げることができる。
【００２９】
ピレスロイド系化合物としては例えば、２，３，５，６−テトラフルオロベンジル（１Ｒ）−トランス−３−（２，２−ジクロロビニル）−２，２−ジメチルシクロプロパンカルボキシレート（一般名：トランスフルスリン）、２，３，５，６−テトラフルオロ−４−メトキシメチルベンジル（１Ｒ）−トランス−３−（１−プロペニル（Ｅ／Ｚ＝１／８））−２，２−ジメチルシクロプロパンカルボキシラート、２，３，５，６−テトラフルオロ−４−メトキシメチルベンジル（１Ｒ）−トランス−３−（２−メチル−１−プロペニル）−２，２−ジメチルシクロプロパンカルボキシラート、２，３，５，６−テトラフルオロ−４−メトキシメチルベンジル２，２，３，３−テトラメチルシクロプロパンカルボキシラート、２，３，５，６−テトラフルオロ−４−メチルベンジル（１Ｒ）−トランス−３−（１−プロペニル（Ｅ／Ｚ＝１／８））−２，２−ジメチルシクロプロパンカルボキシラート、２，３，５，６−テトラフルオロ−４−メトキシメチルベンジル３−（１−プロペニル）−２，２−ジメチルシクロプロパンカルボキシラート、２，３，５，６−テトラフルオロ−４−メチルベンジル３−（２−メチル−１−プロペニル）−２，２−ジメチルシクロプロパンカルボキシラート、２，３，５，６−テトラフルオロ−４−メチルベンジル３−（２−クロロ−２−フルオロビニル）−２，２−ジメチルシクロプロパンカルボキシラート、２，３，５，６−テトラフルオロ−４−メチルベンジル３−（１−プロペニル）−２，２−ジメチルシクロプロパンカルボキシラート、１−エチニル−２−メチル−２−ペンテニル３−（２−クロロ−２−フルオロビニル）−２，２−ジメチルシクロプロパンカルボキシラート、１−エチニル−２−メチル−２−ペンテニル（１Ｒ）−３−（２−メチル−１−プロペニル）−２，２−ジメチルシクロプロパンカルボキシラート（一般名：エンペントリン）、１−エチニル−２−メチル−２−ペンテニル３−（２−メチル−１−プロペニル）−２，２−ジメチルシクロプロパンカルボキシラート、１−エチニル−２−メチル−２−ペンテニル３−（２，２−ジクロロビニル）−２，２−ジメチルシクロプロパンカルボキシラートを挙げることができる。
【００３０】
その他の殺虫性化合物及び忌避性化合物としては、例えば２，２−ジクロロビニルジメチルホスフェート等の有機リン化合物、Ｎ，Ｎ−ジエチル−ｍ−トルアミド、カラン−３，４−ジオール等を挙げることができる。
【００３１】
防除できる害虫の例としては、具体的には各種の有害昆虫を挙げることができ、特に有害飛翔性害虫、例えばアカイエカ、ネッタイイエカ、チカイエカ、コダカアカイエカ等のイエカ類、ヒトスジシマカ、ネッタイシマカ、オオクロヤブカ等のヤブカ類、シナハマダラカ、コガタハマダラカ、ガンビアハマダラカ等のハマダラカ類、サシバエ類、ヌカカ類、ユスリカ類、イエバエ、オオイエバエ等のイエバエ類、クロバエ類、ニクバエ類、タネバエ、ヒメイエバエ、タマネギバエ等のハナバエ類、ミバエ類、ショウジョウバエ類、チョウバエ類、ブユ類、アブ類等の双翅目害虫、スズメバチ類、アリガタバチ類、カブラハバチ等のハバチ類等の膜翅目害虫が挙げられる。
【００３２】
なお、薬剤含浸網４６には、防虫薬剤と共に、常温で揮散性を有する有効成分を含有する芳香剤を保持させてもよい。芳香剤の含有量は任意であるが、芳香剤が有効に揮散し得る期間を防虫薬剤の有効成分が有効に揮散し得る期間に合わせると、芳香剤の芳香の強さを指標として防虫薬剤の有効成分の残量を確認することができる。
【００３３】
なお本発明の薬剤保持部材は、上記した実施形態に限定されるものではなく、薬剤含浸網４６に代わってハニカム構造や、線状、格子状構造を採用してもよい。さらに薬剤保持部材は、液溜部と芯を有して液溜部に溜められた薬液を毛細管現象によって吸い上げて空気と触れさせる構成や、薬剤を固形化してその表面から薬剤を昇華させるものであってもよい。
【００３４】
送風機３０の羽根部材３２は、前記した様に回転軸を中心とする円周上に多数の小羽根３８が配されたものであるため、空気は羽根部材３２の中心側から吸い込まれ、周方向に排出される。本実施形態では、羽根部材３２の上部に薬剤保持部材４１が重なっているため、吸入の際に空気が薬剤保持部材４１を通過する。
【００３５】
本実施形態では、上記した半球形の電池収納部２と、同じく半球形の機器収納部３がジョイント部５で接合されている。より詳細に説明すると、電池収納部２の電池収納側ベース板８のヒンジ部１１近傍と、機器収納部３の機器収納側ベース板２０のヒンジ部２４の近傍がブロック部材６０を介して接合されている。前記した様にジョイント部５は、電池収納部２と機器収納部３のヒンジ部１１，２４であり、電池収納部２と機器収納部３の対向面に周部の一部だけで両者が接合されている。従って電池収納部２と機器収納部３の対向面の大部分は、非接合である。またジョイント部５には、ブロック部材６０があるので、電池収納部２と機器収納部３の対向面には隙間６１がある。
そして本実施形態では、電池収納部２と機器収納部３の対向面の隙間６１に、クリップ（係合部材）６が設けられている。
【００３６】
図７は、（ａ）図１の薬剤拡散装置のクリップの拡大斜視図であり、（ｂ）は、クリップを矢印Ａ方向から正面視した時の形状を示す正面図である。
クリップ６は、樹脂又は金属で作られていて相当の弾性を有するものである。クリップ６の具体的形状は、図１，７の様に側面形状が略「Ｕ」字状である。即ちクリップ６は、電池収納部２の電池収納側ベース板８に接続される接続部６２を有し、当該接続部６２の前方側が１８０°を越える角度に折り返されたものである。クリップ６の折り返し部６３は、その全てが電池収納部２と機器収納部３の対向面の隙間６１に位置している。
クリップ６の折り返し部６３の基端部は、機器収納側ベース板２０と接している。
【００３７】
クリップ６の折り返し部６３は、さらにその中間部で折り曲げられて平行部６５と、機器収納部側当接部６６が形成されている。
ここで平行部６５は、図１の様に、電池収納側ベース板８及び機器収納側ベース板２０の双方に対して略平行に位置する部位である。なお、図７（ａ）の斜視図では、平行部６５は電池収納側ベース板８に対して角度がある様に見えるが、平行部６５は同（ｂ）の様に先端に向かうに従って幅が狭くなる様に作られているため、斜視図の作図上、その様に見えるに過ぎず、側面から観察すると、平行部６５は、図１の様に、電池収納側ベース板８及び機器収納側ベース板２０の双方に対して略平行である。
【００３８】
また機器収納部側当接部６６は、平行部６５の先端側が、機器収納側ベース板２０に折り曲げられた部位であり、機器収納部側当接部６６の先端は、機器収納側ベース板２０と接している。
【００３９】
従ってクリップ６は、電池収納部２と機器収納部３の対向面の隙間６１にあり、その一端部が、一方の壁たる電池収納部２の内壁に剛接され、折り返し部６３の基端部と先端部が、他方の壁たる機器収納部３の内壁に接している。そして折り返し部６３の中間部分については、隙間６１の双方の壁から離れている。またクリップ６は弾性を有する素材で作られている。そのため折り返し部６３の中間部分は弾性を持ち、折り返し部６３の平行部６５は、弾性的に移動する（へこむ）。
【００４０】
次に本実施形態の薬剤拡散装置１の使用方法について説明する。
図８は、図１の薬剤拡散装置１を鞄に取り付けた状態を示す斜視図である。図９は、図８の断面図である。
本実施形態の薬剤拡散装置１は、例えば鞄等に取り付けて使用する。即ち図８に示す様に、電池収納部２と機器収納部３の対向面の隙間６１に鞄７０の開口の縁７１を挿入し、鞄７０の縁７１を図９の様にクリップ６と係合させる。より具体的には、クリップ６の折り返し部６３の中間部分たる平行部６５と、これに対向する壁たる電池収納部２の電池収納側ベース板８に鞄７０が挟まれ、薬剤拡散装置１が鞄７０に固定される。
【００４１】
なお、クリップ６の先端側（機器収納部側当接部６６）は、機器収納部３の機器収納側ベース板２０に接していて両者の間に隙間が無く、鞄７０が挿入される端部においては、クリップ６の先端側（機器収納部側当接部６６）と電池収納部２の電池収納側ベース板８の間に隙間がある。また隙間の間隔は、テーパー状に狭まっているから、鞄７０の挿入に連れて隙間が押し広げられる。そのため薬剤拡散装置１の鞄７０に対する装着は容易である。
また薬剤拡散装置１が鞄７０に取り付けられた状態においては、クリップ６によって鞄７０の挿入部が圧せられ、薬剤拡散装置１は強固に固定される。
【００４２】
そして操作スイッチの押圧片２６（図１，４）を押すと、オルタネートスイッチ２７がオン状態となり、送風機３０のモータ３３と、発光ダイオード２８に通電される。
モータ３３に通電されて送風機３０が回転すると、外部の空気が機器収納側蓋部材２１に設けられたスリット２２から、機器収納側蓋部材２１の内部に吸入される。この空気は、送風機３０に吸い込まれる際に薬剤保持部材４１と接し、当該空気に気化した薬剤が混合される。そして薬剤を含む空気が機器収納部３の側面側に開口する排気口２３から排出される。そのため使用者の周囲に害虫を寄せつけない。
【００４３】
薬剤拡散装置１の起動中は、発光ダイオード２８が発光し、押圧片２６の端面２９が幻想的に光る。
【００４４】
また本実施形態の薬剤拡散装置１は、重量バランスが良いので、取付け部たる鞄７０の縁を捲れさせない。即ち本実施形態の薬剤拡散装置１において、重量を有する部材は、電池１７と送風機３０であるが、電池１７は、一方の半球部材たる電池収納部２に内蔵され、送風機３０は他方の半球部材たる機器収納部３に内蔵されている。そして薬剤拡散装置１は、両者の間で鞄７０の縁７１を挟んだ状態で取り付けられている。即ち電池収納部２と機器収納部３は、鞄７０の縁７１を跨ぎ、機器収納部３は鞄７０の外側にあり、電池収納部２は鞄７０の内側にある。そのため電池収納部２と機器収納部３は、振り分け荷物の様に鞄７０に取り付けられている。従って両者の荷重は、図９の様に鞄７０の縁７１を跨いで共に下方向に向かう。そのため荷重によって生じるモーメントが相殺され、鞄７０の縁７１に生じるモーメントは消失する。従って鞄７０の縁７１が捲れる方向に働く力は消失し、鞄７０の縁７１は捲れない。
【００４５】
以上説明した実施形態では、電池収納部２と機器収納部３の間にクリップ６を設けた構造を例示したが、クリップ６は、必ずしも必須ではない。図１０は、本発明の他の実施形態の薬剤拡散装置を鞄に取り付けた状態を示す断面図である。
即ち図１０に示す薬剤拡散装置８０は、電池収納部２と機器収納部３によって直接的に鞄７０の縁７１を挟んでいる。即ち薬剤拡散装置８０では、電池収納部２と機器収納部３を図示しないヒンジで結合し、両者の間に図示しないバネを介在させて両者の間が閉まり方向となる様に付勢している。そして図示しないバネの閉まり方向の力によって鞄７０の縁７１が押圧され、薬剤拡散装置８０が鞄７０に取り付けられている。
またさらに変形例として、電池収納部２の内面又は機器収納部３の内面にクッション性のシート等を貼り付け、シートの持つ弾性力によって鞄７０の縁７１等を締めつけてもよい。
【００４６】
以上説明した実施形態は、いずれも全体形状が球形であったが、本発明は、この形状に限定されるものではなく、全体形状が太鼓形であったり、四角形状であってもよい。
【図面の簡単な説明】
【００４７】
【図１】本発明の実施形態の薬剤拡散装置の正面図、左右側面図、平面図、底面図及び背面図である。
【図２】図１の薬剤拡散装置の斜視図であり、電池収納部側の蓋部材を開いた状態を示す。
【図３】図１の薬剤拡散装置の斜視図であり、機器収納部側の蓋部材を開いた状態を示す。
【図４】機器収納部側の蓋部材に設けられた操作スイッチの押圧片の近傍を示す正面図である。
【図５】送風機と薬剤保持部材との斜視図である。
【図６】薬剤保持部材の分解斜視図である。
【図７】（ａ）図１の薬剤拡散装置のクリップの拡大斜視図であり、（ｂ）は、クリップを矢印Ａ方向から正面視した時の形状を示す正面図である。
【図８】図１の薬剤拡散装置を鞄に取り付けた状態を示す斜視図である。
【図９】図８の断面図である。
【図１０】本発明の他の実施形態の薬剤拡散装置を鞄に取り付けた状態を示す断面図である。
【図１１】従来技術の薬剤拡散装置を鞄に取り付けた状態を示す斜視図である。
【符号の説明】
【００４８】
１  薬剤拡散装置
２  電池収納部
３  機器収納部
５  ジョイント部
６  クリップ
８  電池収納側ベース板
１０  電池収納側蓋部材
１５  電池ボックス
１７  電池
２０  機器収納側ベース板
２１  機器収納側蓋部材
３０  送風機
４１  薬剤保持部材
７０  鞄
８０  薬剤拡散装置
【図１】
2006314269.tif 000003
【図２】
2006314269.tif 000004
【図３】
2006314269.tif 000005
【図４】
2006314269.tif 000006
【図５】
2006314269.tif 000007
【図６】
2006314269.tif 000008
【図７】
2006314269.tif 000009
【図８】
2006314269.tif 000010
【図９】
2006314269.tif 000011
【図１０】
2006314269.tif 000012
【図１１】
2006314269.tif 000013